(57)【要約】【課題】  汗の染み込み自体を抑制させることで、汗の染み込みを原因として生じていた細菌の繁殖を抑制して、ぬめり、悪臭等を防止させ、衛生的に使用でき、又、天然皮革でありながら、何時でも洗浄することができる剣道用小手防具の提供。【解決手段】  小手頭１０と手の内１１からなるころも部１と、小手頭に連設した筒部２と、筒部に連設した小手筒３とを備え、少なくとも、小手頭の表皮の全部又は一部、筒部の表皮の全部又は一部、小手筒の表皮の全部又は一部、及び手の内の全部又は一部が、天然皮革の繊維にフッ素を浸透させたことで、低吸水性、通気性、撥水性、撥油性を有するフッ素含浸天然皮革部材により形成されている。【選択図】  図１
0003106774.tif 000002
【実用新案登録請求の範囲】
【請求項１】
小手頭と手の内からなるころも部と、前記小手頭に連設した筒部と、前記筒部に連設した小手筒とを備えている剣道用小手防具であって、
少なくとも、前記小手頭の表皮の全部又は一部、筒部の表皮の全部又は一部、小手筒の表皮の全部又は一部、及び手の内の全部又は一部が、天然皮革の繊維にフッ素を浸透させたことで、低吸水性、通気性、撥水性、撥油性を有するフッ素含浸天然皮革部材により形成されていることを特徴とした剣道用小手防具。
【請求項２】
顔面を保護する面金と、この面金に面渕皮を介して連設された面布団と、面金に顎渕皮を介して連設された顎垂れを備えている剣道用面防具であって、
少なくとも、前記面布団の表皮の全部又は一部、顎垂れの表皮の全部又は一部、及び面渕皮及び顎渕皮の全部又は一部が、天然皮革の繊維にフッ素を浸透させたことで、低吸水性、通気性、撥水性、撥油性を有するフッ素含浸天然皮革部材により形成されていることを特徴とした剣道用面防具。
【請求項３】
前帯の両端に垂紐が連結された垂帯と、前記前帯の下縁部に連設された大垂及び小垂を備えている剣道用垂防具であって、
少なくとも、前記前帯の表皮の全部又は一部、大垂及び小垂の表皮の全部又は一部が、天然皮革の繊維にフッ素を浸透させたことで、低吸水性、通気性、撥水性、撥油性を有するフッ素含浸天然皮革部材により形成されていることを特徴とした剣道用垂防具。
【考案の詳細な説明】
【技術分野】
【０００１】
本考案は、剣道において竹刀等による打突から手や手首を保護するために使用される剣道用小手防具、及び頭部、顔面、首部等を保護するために使用される剣道用面防具及び腰回り（腰の前面から側面にかけての部分）を保護するために使用される剣道用垂防具に関するものである。
に関する。
【背景技術】
【０００２】
従来、剣道用防具（例えば、剣道用小手防具）は、小手頭と手の内からなるころも部と、前記小手頭に連設した筒部と、前記筒部に連設した小手筒とを備え、その構成部位である小手頭の表皮、筒部の表皮、小手筒の表皮、及び手の内が、鹿革や牛革などの天然皮革部材に形成されているのが一般的である。
【０００３】
このように、剣道用防具の各部を、単なる天然皮革部材によって形成されると、練習や試合によって着用者が汗をかくと、その汗が天然皮革部材の中に染み込んでしまう。
そこで、使用後は、風通しのよい日陰で、乾かすようにしているが、毎日のように使用する場合には、その乾燥が十分になされず、この結果、汗の成分（水分、油分等）が腐敗し、ぬめりや悪臭を発生させるばかりか、天然皮革部材が腐り、防具破損の大きな原因になっているという問題があった。
又、天然皮革部材は、水に濡れると、縮んだり、硬くなったりするため、洗うことが困難であり、衛生面の上でも好ましくないという問題があった。
【０００４】
なお、従来、剣道用小手防具において、ころも部の手の内に天然皮革や合成皮革を用い、これに抗菌処理を施こすことにより、衛生状態を向上させるようにしたものが知られている（特許文献１参照）。
【０００５】
しかしながら、この従来技術は、抗菌処理によって細菌（雑菌）の繁殖を抑制させ、これにより衛生状態を向上させるようにしたものであり、汗の染み込みについては、これを許容し、汗の染み込みによって発生する雑菌の繁殖を抑制する技術にすぎない。
【特許文献１】登録実用新案第３０６２１０７号公報
【考案の開示】
【考案が解決しようとする課題】
【０００６】
本考案は、汗の染み込み自体を抑制させることで、汗の染み込みを原因として生じていた細菌の繁殖を抑制して、ぬめり、悪臭等を防止させ、衛生的に使用でき、又、天然皮革でありながら、何時でも洗浄することができる剣道用防具（剣道用小手防具及び剣道用面防具及び剣道用垂防具）を提供することを課題としている。
【課題を解決するための手段】
【０００７】
上記の課題を解決するために、本考案の剣道用小手防具は、
小手頭と手の内からなるころも部と、前記小手頭に連設した筒部と、前記筒部に連設した小手筒とを備えている剣道用小手防具であって、
少なくとも、前記小手頭の表皮の全部又は一部、筒部の表皮の全部又は一部、小手筒の表皮の全部又は一部、及び手の内の全部又は一部が、天然皮革の繊維にフッ素を浸透させたことで、低吸水性、通気性、撥水性、撥油性を有するフッ素含浸天然皮革部材により形成されている構成とした。
【０００８】
又、本考案の剣道用面防具は、
顔面を保護する面金と、この面金に面渕皮を介して連設された面布団と、面金に顎渕皮を介して連設された顎垂れを備えている剣道用面防具であって、
少なくとも、前記面布団の表皮の全部又は一部、顎垂れの表皮の全部又は一部、及び面渕皮及び顎渕皮の全部又は一部が、天然皮革の繊維にフッ素を浸透させたことで、低吸水性、通気性、撥水性、撥油性を有するフッ素含浸天然皮革部材により形成されている構成とした。
【０００９】
又、本考案の剣道用垂防具は、
前帯の両端に垂紐が連結された垂帯と、前記前帯の下縁部に連設された大垂及び小垂を備えている剣道用垂防具であって、
少なくとも、前記前帯の表皮の全部又は一部、大垂及び小垂の表皮の全部又は一部が、天然皮革の繊維にフッ素を浸透させたことで、低吸水性、通気性、撥水性、撥油性を有するフッ素含浸天然皮革部材により形成されている構成とした。
【００１０】
本考案において、フッ素含浸天然皮革部材とは、フッ素化合物を鹿皮や牛皮等の天然皮革の複雑に絡み合ったコラーゲン繊維に浸透結合させた皮革（例えば、ダイキン工業：商標名「レザノヴァ」）を用いて所定の形状に裁断し、所定の構成部位に縫合や接着等で取り付けるようにしたものである。
【００１１】
このフッ素含浸天然皮革部材の特性を以下に挙げる。
低吸水性、即ち、水を吸い込まないという特性を有するもので、表面だけでなく、裏、断面、傷口からも染み込まない。
このため、水に浸かったときも、不快なぬめり感がないし、乾燥した後で、縮んだり、硬くなったりすることがない。又、天然皮革でありながら、何時でも洗浄することができる。
【００１２】
又、皮革の風合いを保持することができる。表面コーティングとは異なり、天然皮革本来の柔軟性、感触、通気性を保持できる。
【００１３】
又、撥水性に優れている。即ち、水をはじくため、雨、雪、それに汗をはじくことができる。
【００１４】
又、撥油性に優れている。即ち、油をはじくため、汗に含まれている油分や、その他の汚れの主原因になる油をはじき、優れた防汚性を持っている。
【００１５】
又、機能の持続性に優れている。即ち、フッ素化合物が、天然皮革の繊維に強力に結合しているため、撥水性、撥油性、低吸水性、風合いを長期に亘って持続させることができる。
【考案の効果】
【００１６】
本考案の剣道用防具（剣道用小手防具及び剣道用面防具及び剣道用垂防具）は、防具の構成部位の全部又は一部を、フッ素含浸天然皮革部材により形成した点が最大の特徴である。
このフッ素含浸天然皮革部材は、天然皮革の繊維にフッ素を浸透させたもので、この加工によって、低吸水性、通気性、撥水性、撥油性を持たせたものである。
したがって、汗の染み込みに対しては、低吸水性、撥水性、撥油性によってこれを抑制させることができるし、また、通気性によって乾燥を促進させることができる。
【００１７】
このように、本考案によれば、フッ素含浸天然皮革部材を用いているため、裏、断面、傷口、縫合の針目等からの水、汗の染み込みを防止でき、汗の染み込みを原因として生じていた細菌の繁殖を抑制し、腐敗、不快なぬめり、悪臭等を防止させ、衛生的に使用できるし、縮んだり、硬くなったりすることもなく、又、天然皮革でありながら、何時でも洗浄することができ、皮革本来の柔軟性、感触、通気性を保持して、快適に着用できるという効果が得られる。
【考案を実施するための最良の形態】
【００１８】
図１は本考案の剣道用小手防具Ａの実施例を示す斜視図である。なお、本図面において、平行斜線で示す部分がフッ素含浸天然皮革部材である。
【００１９】
この剣道用小手防具Ａは、主要な構成部位として、小手頭１０と手の内１１からなるころも部１と、前記小手頭１０に連設した筒部２と、前記筒部２に連設した小手筒３とを備えている。
【００２０】
前記ころも部１は、手が挿入される小手頭１０と手の内１１とからなり、小手頭１０はその表皮１０ａの全部及び縁皮１０ｂがフッ素含浸天然皮革部材により形成されている。
ころも部１の内部には鹿毛、羊毛などの獣毛、又はフエルトなどの緩衝材が充填されている。
尚、図中符号１２は飾り糸で、前記表皮１０ａと内部の緩衝材とを縫止する。
【００２１】
また、ころも部１の内側（掌側）には、フッ素含浸天然皮革部材が張設されて手の内１１が形成されており、更に、ころも部１の後端部には、前記と同様な緩衝材が充填されて膨出したけら１３が形成されている。又、この手の内１１の縁皮１１ａもフッ素含浸天然皮革部材により形成されている。
【００２２】
筒部２は、前記小手頭１０の後端部に縫着により連設されており、手首の近傍を覆う適宜の長さを有し、下部側が開放されている。
そして、筒部２のけら側の表皮２ａ及び縁皮２ｂが、フッ素含浸天然皮革部材により形成され、その内部には鹿毛、羊毛などの獣毛、又はフエルトなどの緩衝材が充填されて肉厚に形成されている。
尚、図中符号２０は飾り糸である。
【００２３】
前記小手筒３は、筒部２の後端部に逢着により連設されており、手首から腕先にかけての部分を覆う適宜の長さを有し、下部側が開放されている。
そして、小手筒３の筒部側の表皮３ａ及び開放側の表皮３ｂ及び縁皮３ｃが、フッ素含浸天然皮革部材により形成され、その内部には鹿毛、羊毛などの獣毛、又はフエルトなどの緩衝材が充填されて肉厚に形成されている。
尚、図中符号３０は小手紐で、小手筒３の開放された下部側間を結ぶ紐である。
【００２４】
本実施例の剣道用小手防具Ａでは、小手頭１０の表皮１０ａの全部、手の内１１の全部、筒部２の一部の表皮２ａ、小手筒３の一部の表皮３ａ，３ｂ、それに縁皮１０ｂ，１１ａ，２ｂ，３ｃをフッ素含浸天然皮革部材により形成しているが、その他の部位をフッ素含浸天然皮革部材により形成することができるのは勿論である。
【００２５】
図２は本考案の剣道用面防具Ｂの実施例を示す斜視図である。なお、本図面において、平行斜線で示す部分がフッ素含浸天然皮革部材である。
【００２６】
この剣道用面防具Ｂは、主要な構成部位として、顔面を保護する面金４と、この面金４に面渕皮５０を介して連設された面布団５と、面金４に顎渕皮６０を介して連設された顎垂れ６１を備えている。
【００２７】
前記面金４は、顔面の前側に位置するように装着されるもので、その周縁部に取り付けられた面渕皮５０及び顎渕皮６０を介して、面布団５及び顎垂れ６１が取り付けられている。
【００２８】
前記面渕皮５０は、幅広帯状に形成され、通常の天然皮革により形成されている。
【００２９】
又、面布団５は、頭部を覆う幅で帯状に形成された木綿布等からなり、面金４側となる前部分の表皮５ａ及び前縁から側縁にかけての縁皮５ｂ、それに、耳皮５１及び角皮５２についてもフッ素含浸天然皮革部材により形成されている。
【００３０】
前記面布団５が連設されていない面金４の下部近傍には、顎部材６が取り付けられている。
この顎部材６は、前記面渕皮５０と別部材にされた顎渕皮６０と、この顎渕皮６０を介して面金４に固定される顎垂れ６１を備えている。
そして、前記顎渕皮６０は、通常の天然皮革により形成され、前記顎垂れ６１は、毛せんを芯材にして、その表皮６ａ及び縁皮６ｂがフッ素含浸天然皮革部材により形成されている。
【００３１】
本実施例の剣道用面防具Ｂでは、面渕皮５０及び顎渕皮６０を通常の天然皮革により形成しているが、この面渕皮５０及び顎渕皮６０をフッ素含浸天然皮革部材により形成することができるのは勿論である。
【００３２】
図３は本考案の剣道用垂防具Ｃの実施例を示す斜視図である。なお、本図面において、平行斜線で示す部分がフッ素含浸天然皮革部材である。
【００３３】
この剣道用垂防具Ｃは、主要な構成部位として、前帯７０の両端に垂紐７１が連結された垂帯７と、前記前帯７０の下縁部に連設された大垂８及び小垂９を備えている。
【００３４】
前記垂帯７は、腹部の前部から側部にかけての部分に装着させる前帯７０と、この前帯７０の両端に連設されて、腹部に巻き付けるように装着させる垂紐７１，７１からなる。
又、前記前帯７０の下縁部には３枚の大垂８が連設され、この３枚の大垂８間において、前帯７０の下縁部に２枚の小垂９が連設されている。
【００３５】
前記前帯７０は、毛せん等を芯材とし、前記大垂８との連設部分となる下側部分の表皮７ａ及び両端部分の表皮７ｂがフッ素含浸天然皮革部材により形成されている。
【００３６】
又、前記大垂８及び小垂９は、毛せん等を芯材とし、前記前帯７０との連設部分となる上側部分の表皮８ａ，９ａ及び縁皮８ｂ，９ｂ、がフッ素含浸天然皮革部材により形成されている。
また、大垂８については、角皮８ｃについてもフッ素含浸天然皮革部材により形成されている。
【００３７】
本実施例の剣道用垂防具Ｃでは、前帯７０の一部の表皮７ａ，７ｂ、大垂及び小垂の一部の表皮８ａ，８ｃ、９ａそれに縁皮８ｂ，９ｂをフッ素含浸天然皮革部材により形成しているが、その他の部位をフッ素含浸天然皮革部材により形成することができるのは勿論である。
【００３８】
又、本考案において、フッ素含浸天然皮革部材について、天然皮革の腐敗や硬化を抑制させる目的で、フッ素に加えて、さらに遠赤外線セラミック粉末やマイナスイオンを発生させる多元素鉱物粉末等を含浸させることも適宜にできる。
【図面の簡単な説明】
【００３９】
【図１】本考案の剣道用小手防具の実施例を示す斜視図である。
【図２】本考案の剣道用面防具の実施例を示す斜視図である。
【図３】本考案の剣道用垂防具の実施例を示す斜視図である。
【符号の説明】
【００４０】
Ａ  剣道用小手防具
１  ころも部
１０  小手頭
１０ａ  表皮
１０ｂ  縁皮
１１  手の内
１１ａ  縁皮
２  筒部
２ａ  表皮
２ｂ  縁皮
３  小手筒
３ａ  表皮
３ｂ  表皮
３ｃ  縁皮
Ｂ  剣道用面防具
４  面金
５  面布団
５０  面渕皮
５ａ  表皮
５ｂ  縁皮
５１  耳皮及
５２  角皮
６  顎部材
６０  顎渕皮
６ａ  表皮
６ｂ  縁皮
Ｃ  剣道用垂防具
７  垂帯
７０  前帯
７１  垂紐
７ａ  表皮
７ｂ  表皮
８  大垂
８ａ  表皮
８ｂ  縁皮
８ｃ  角皮
９  小垂
９ａ  表皮
９ｂ  縁皮
【図１】
0003106774.tif 000003
【図２】
0003106774.tif 000004
【図３】
0003106774.tif 000005